(57)【要約】折り畳んだシート材（９）から形成され、かつ少なくとも一部が相互に重合するシート材の内部（２２，２３）および外部（２１，２４）により形成された少なくとも一つの壁（７）を有し、内部（２２，２３）の少なくとも一部が外部（２１，２４）の対応部により被覆され、外部（２１，２４）の対応部の厚みに合致するように引き出され、それにより対応する壁（７）が段差または露出自由縁（３１）を伴うことなく実質的連続的外面を有する、タバコ製品用容器（１，４８，５２，５４）。
2005525976.tif 000002
【特許請求の範囲】
【請求項１】
相互に対して重合したシート材（９）の内部（２２，２３）、および外部（２１，２４）により形成された少なくとも一つの二重層壁（７）を含み、前記内部（２２，２３）の少なくとも一部（２７）が前記外部（２１，２４）の対応部により被覆されている、シート材（９）を折り畳んで形成するタバコ製品用容器において、
前記内部（２２，２３）の少なくとも一部（２７）は前記シート材（９）の厚みに少なくとも等しい量だけ窪んだ窪み部（２７）であることを特徴とする、タバコ製品用容器。
【請求項２】
前記窪み部（２７）はシート材（９）の残部に連結された第一自由外縁（２９）および第二内縁（３０）に結合され、かつ前記外部（２１，２４）は第三自由外縁（３１）を有し、前記第三自由外縁（３１）は前記第二内縁（３０）に対面して同一面を形成している、請求項１に記載のタバコ製品用容器。
【請求項３】
前記第二内縁（３０））および第三自由外縁（３１）は対応する形状を有する、請求項２に記載の容器。
【請求項４】
前記第二内縁（３０）および第三自由外縁（３１）は直線状である、請求項２または３に記載の容器。
【請求項５】
前記第二内縁（３０）および第三自由外縁（３１）は曲線状である、請求項２または３に記載の容器。
【請求項６】
前記第二内縁（３０）および第三自由外縁（３１）は混合線である、請求項２または３に記載の容器。
【請求項７】
相互に対して重合したシート材（９）の内部（２２，２３）および外部（２１，２４）を有する少なくとも一つの二重層壁（７）を、容器（１，４８，５２，５４）上に形成するためにシート材（９）を折り畳む工程を含み、前記内部（２２，２３）の少なくとも一部（２７）が前記外部（２１，２４）の対応部により被覆される、タバコ製品用容器を製造する方法において、
前記内部（２２，２３）の少なくとも一部（２７）を前記シート材（９）の厚みに少なくとも等しい量だけ窪ませる工程を更に含むことを特徴とする、タバコ製品用容器の製法。
【請求項８】
前記内部（２２，２３）の少なくとも一部（２７）を引出すことにより窪ませる、請求項７に記載の製法。
【請求項９】
前記引出しはダイ（３６）および対向ダイ（３７）を使用して行われる、請求項８に記載の製法。
【請求項１０】
前記引出しは圧延により行なわれる、請求項８に記載の製法。
【請求項１１】
前記シート材（９）は、長軸（１１）を有する中央体（１２）を含むブランク（９）により形成され、かつ前記長軸（１１）に交叉する予め形成された折畳み線（１３）により複数のパネル（１４〜２０）に分割され、
前記パネル（１４〜２０）の少なくとも幾つか（１４，１６，１７，１９）は対向側フラップ（２１〜２４）を有し、その各々を対応するパネル（１４，１６，１７，１９）に対して四角に折り畳みかつ他のパネル（１４，１６，１７，１９）の対応するフラップ（２１〜２４）上に少なくとも一部を重合して、対応する二重層壁（７）に形成し、かつ
前記長軸（１１）に平行の方向へ前記圧延を施す、請求項１０に記載の製法。
【請求項１２】
前記シート材（９）が、長軸（１１）を有する中央体（１２）を含むブランク（９）により形成され、かつ前記長軸（１１）に交叉する予め形成された折畳み線（１３）により複数のパネル（１４〜２０）に分割され、
前記パネル（１４〜２０）の少なくとも幾つか（１４，１６，１７，１９）は対向側フラップ（２１〜２４）を有し、その各々が対応するパネル（１４，１６，１７，１９）に対して四角に折り畳まれ、かつ少なくとも一部で他のパネル（１４，１６，１７，１９）の対応するフラップ（２１〜２４）上に重合されて対応する二重層壁（７）を形成し、かつ
前記長軸（１１）と交叉する方向へ圧延を施す、請求項１０に記載の製法。
【請求項１３】
前記ブランク（９）は相互に結合されたブランク（９）の連続部により形成された細片（４０）の一部を形成し、かつ前記長軸（１１）が前記細片（４０）の移動方向（４１）を横切るように位置決めされる、請求項１２に記載の製法。
【発明の詳細な説明】
【技術分野】
【０００１】
本発明はタバコ製品用の容器に関する。
【０００２】
更に詳細には、本発明はタバコ製品用容器、即ちシガレットパケットまたはカートンであり、通常ブランクであるシート材を折り畳むことにより形成されかつ相互に重ね合わせたシート材による内部および外部により形成される少なくとも一つの二重層壁を有し、内部の少なくとも一部が外部の対応部により被覆されるタイプの容器に関する。
【０００３】
本発明は、蝶番式蓋を有するシガレット用パケットを製造するのに特に有利であり、以下の説明はかかるパケットを例示として説明する。
【背景技術】
【０００４】
タバコ産業において、蝶番式蓋を有するシガレット用パケット、即ち相互に蝶番止めされた本体および蓋を有するパケットは、フラットで実質的矩形のブランクを折り畳み、その上に相互に対しかつ長軸に対して平行の二つの予め形成された折畳み線または細片、複数の予め形成された横折り線および蝶番線により一連のパネルに分割された中央体を形成し、一連のパネルは、通常、前記中央体の第一前パネル、前記中央体の第二下パネル、前記中央体の第三後パネル、蝶番線に沿って第三後パネルに連結された蓋の第四後パネル、蓋の第五パネル、蓋の第六パネル、および第六パネルを強化する第七パネルを含む。
【０００５】
前記中央体の外方に、予め形成された長手折畳み線または細片は第一パネルのそれぞれの長手縁に連結された二つの第一フラップ、第三パネルのそれぞれの長手縁に連結された二つの第二フラップ、第四パネルのそれぞれの長手縁に連結された二つの第三フラップ、および第六パネルのそれぞれの長手縁に連結された二つの第四フラップを形成する。
【０００６】
ブランクを折り畳むときに、前記フラップの各々は対応するパネルに対して四角に折り畳まれ、かつパケットの側壁の対応部を形成するために他のフラップ上に重ねられる。更に具体的には、各第一フラップは対応する第二フラップの外面上に設置されかつ糊付けされ、かつ各第四フラップは対応する第三フラップの外面上に設置されかつ糊付けされて、パケット上に二つの対向側壁を形成し、かつその各々の上に外フラップの自由縁が観察できる。
【０００７】
前記自由縁が観察できると言うことは、審美的かつ機能的欠点を有することを意味する。即ち、一方で、前記自由縁は、通常、隣接するパケットの外面の色と反対に、ブランクを形成する厚紙の自然色であり、かつ他方で、使用時にパケットを周辺の材料上で掴み易くするために粗面であり、かつ透明のオーバラッピング材のパケット外面への完全接着は阻害される。
【発明の開示】
【発明が解決しようとする課題】
【０００８】
本発明の課題は、上述の欠点を解消するために設計されたタバコ製品用容器を提供することにある。
【課題を解決するための手段】
【０００９】
本発明によれば、請求項１に記載のタバコ製品用容器が提供され、かつ好適には請求項１に直接的または間接的に従属する請求項２以下のいずれかによる容器が提供される。
【００１０】
本発明は更に上述のタバコ製品用容器を製造する方法に関する。
【００１１】
本発明によれば、請求項７に記載のタバコ製品用容器を製造する方法が提供され、かつ請求項７に直接的または間接的に従属する請求項のいずれかによる製法が提供される。
【発明を実施するための最良の形態】
【００１２】
以下、添付図面を参照して例示として本発明による非制限的実施形態を説明する。
図１の参照番号１は内ラッピングＢに包囲されたシガレット群Ａを収容する蝶番式蓋を有するパケットを全体として示す。パケット１は、蝶番線４（図３）に沿って相互に蝶番式に止められた本体２および蓋３を含み、かつ前壁５、後壁６、ならびに円弧状長手縁８を介して前壁５および後壁６に対して直角に連結された二つの小さい側壁７を含む。
【００１３】
図３に示されたように、パケット１は、フラットで実質的矩形のブランク９を折り畳むことにより形成され、ブランク上には相互にかつブランク９の長軸１１に平行の、円弧状縁を形成するための、二つの予め形成された長手折れ細片１０が中央体１２を形成し、中央体１２は複数の予め形成された横折り線１３および蝶番線４により、本体２の前パネル１４、本体２の下パネル１５、本体２の後パネル１６、蝶番線４に沿ってパネル１６に連結された蓋３の後パネル１７、蓋３の上パネル１８、蓋３の前パネル１９、およびパネル１８を強化するパネル２０を含む連続的パネルに分割されている。
【００１４】
中央体１２の外方に、予め形成された長手折畳み細片１０が前パネル１４のそれぞれの長手縁に沿って延在する二つのフラップ２１、後パネル１６のそれぞれの長手縁に沿って延在する二つのフラップ２２、後パネル１７のそれぞれの長手縁に沿って延在する二つのフラップ２３、および前パネル１９のそれぞれの長手縁に沿って延在する二つのフラップ２４を形成する。
【００１５】
パケット１を形成するためにブランク９を折り畳むときに、フラップ２１〜２４がそれぞれのパネル１４，１６，１７，１９に対して四角に折り畳まれ、各フラップ２１，２４は対応するフラップ２２，２３上に少なくとも一部で重合し、かつ対応するフラップ２２，２３の外面上に設置されかつ糊付けされ、かつ各対の対応するフラップ２２および２３は、その上に重合した対応するフラップ２１および２４と共に、対応する側壁７を形成し、その反対側の長手縁は二つの円弧状縁８により前壁５および後壁６へそれぞれ連結され、その各々はそれぞれ予め形成された折畳み細片１０により形成される。
【００１６】
図３に示されたように、引出し線(draw line)２５が各対のフラップ２２および２３に沿って形成され、長軸１１に平行に延在し、かつ図１に示されたように、各フラップ２２，２３を対応する予め形成した折畳み細片１０の外縁レベルで隣接する上昇部２６と、窪み部２７に分割する。
【００１７】
各フラップ２２，２３の窪み部２７は内カラー２８の対応するフラップ上に当接し、自由縁２９を有し、かつショルダ３０により対応する上昇部２６に連結され、上昇部２６は対応するフラップ２２，２３の内縁を形成し、ブランク９の厚みに実質的に等しい高さを有し、対応する引出し線２５に沿って延在し、かつ対応するフラップ２１，２４の自由縁３１と同一面で隣接して対面する。
【００１８】
図１および３の例において、各引出し線２５は直線であり、かつ対応する予め形成された折畳み細片の外縁に沿って実質的に形成され、そのようにして対応するフラップ２２および２３の上昇部２６は相対的に小さい面を有する。ただし、図示されていない変形形態において、各引出し線２５は対応する予め形成した折畳み細片１０の外縁から離れて位置決めされ、対応するフラップ２１および２４の幅の対応する減少を伴い、かつ／または図２の形態に例示されたように、曲線および／または混合線形態の引出し線２５ａにより、段差がなく、もしくは露出自由縁３１がないと同時に特に魅力的効果を伴う完全フラット外面７ａを有する対応する側壁７を得るように形成される。
【００１９】
引出し線２５，２５ａは様々な方法で形成されてよく、その選択は引出し線２５，２５ａの形状、および使用されるブランク９の性質に依存する。
【００２０】
積み重ねたブランク（図示せず）から抽出されかつ連続的または段階的に軸方向へ供給されるブランク９の長手方向に延在する直線状引出し線２５を形成するために、各引出し線２５は、長軸１１に交叉するそれぞれ軸３３を中心に回転しかつ対応する窪み部２７と接触して位置決めされた二つのローラ３２（図４）と、ローラ３２に対してオフセットし軸３３に平行のそれぞれの軸３５を中心に回転しかつ対応する上昇部２６と接触して位置決めされる二つのローラ３４を使用して形成されるのが望ましい。
【００２１】
ブランク９がいずれかの方向、例えば、長軸１１と交叉する方向へ段階的に供給される場合、引出し線２５または２５ａは、好適には、ブランク９と交叉する方向に移動しかつそれぞれ対応対面３８および３９を有するダイ３６および対向ダイ３７を使用して形成される（図５）。
【００２２】
ブランク９が長軸１１と交叉する方向４１へ連続的または段階的に供給される連続細片４０を形成するために側方向に連結される場合（図６）、引出し線２５または２５ａは、好適には、細片４０の両側に設けられ、かつ相互に平行かつ長軸に平行でありかつ方向４１と交叉するそれぞれの軸４４および４５を中心に回転する、実質的接触する二つのローラ４２および４３を使用して形成される。ローラ４２および４３はそれぞれ少なくとも一つの周辺突起４６、および少なくとも一つの対応するキャビティ４７を含み、両者は隣接する二つのブランク９の窪み部２７のそれぞれの両面と接触する。
【００２３】
引出し線２５，２５ａは、ブランク９を形成するとき、またはユーザ包装機により自明方法により形成できる。
【００２４】
パケット１に関する上述の説明は、シート材による二層を重合することにより形成される一壁を有する、タバコ製品用の硬質パケットに利用される。
【００２５】
例えば、図７は面取り縁４９を有するパケット４８、即ち八角形パケットを示し、それぞれの縁４９は隣接側壁７に対して４５°の角度で長手細片５０により形成され、かつ長手縁５１に沿って側壁７に連結されている。パケット４８の引出し線２５（または２５ａ）は、好適には、後縁５１に隣接した対応フラップ２２および２３上に形成される。
【００２６】
他の例として、図８は矩形断面を有するパケット５２を示し、ここでは各側壁７は直線縁５３に沿って前壁５および後壁６に連結され、かつ各引出し線２５（または２５ａ）は、後縁５３に隣接した対応フラップ２２および２３上に好適に形成される。
【００２７】
他の例として、図９は『ピロー（PILLOW)』パケット５４を示し、ここでは前壁５および後壁６の各々の対向側部が対応するシャープ縁５６に沿って対応する側壁７に連結された、横切る方向に湾曲した予め形成された長手折畳み細片５５により形成され、かつ各引出し線２５（または２５ａ）は、好適には、後縁５６に隣接した対応フラップ２２および２３上に形成される。
【図面の簡単な説明】
【００２８】
【図１】本発明による容器の第一好適形態の斜視図断面を示す。
【図２】図１の容器の変形形態の側面を示す。
【図３】図１の容器を製造するためのフラットブランクを示す。
【図４】図３のブランクを製造する方法を概略的に示す。
【図５】図３のブランクを製造する方法を概略的に示す。
【図６】図３のブランクを製造する方法を概略的に示す。
【図７】本発明による他の形態の容器を示す図１と同様の図である。
【図８】本発明による他の形態の容器を示す図１と同様の図である。
【図９】本発明による他の形態の容器を示す図１と同様の図である。
【図１】
2005525976.tif 000003
【図２】
2005525976.tif 000004
【図４】
2005525976.tif 000005
【図５】
2005525976.tif 000006
【図３】
2005525976.tif 000007
【図９】
2005525976.tif 000008
【図６】
2005525976.tif 000009
【図７】
2005525976.tif 000010
【図８】
2005525976.tif 000011
【手続補正書】
【提出日】平成15年12月2日(2003.12.2)
【手続補正１】
【補正対象書類名】特許請求の範囲
【補正対象項目名】全文
【補正方法】変更
【補正の内容】
【特許請求の範囲】
【請求項１】
長軸（１１）を有する中央体（１２）を含み、かつ前記長軸（１１）に交叉する予め形成された折畳み線（１３）により複数のパネル（１４〜２０）に分割されたブランク（９）を折り畳むことにより形成されたタバコ製品用容器であって、前記容器が相互に対して重合したシート材（９）の内部（２２，２３）および外部（２１，２４）により形成された少なくとも一つの二重層壁（７）を含み、前記内部（２２，２３）の少なくとも一部（２７）が前記外部（２１，２４）の対応部により被覆され、前記内部（２２，２３）の少なくとも一部（２７）が前記シート材（９）の厚みに少なくとも等しい量だけ窪んだ窪み部（２７）であり、前記パネル（１４〜２０）の少なくとも幾つか（１４，１６，１７，１９）が対向する側フラップ（２１〜２４）を有し、その各々が対応するパネル（１４，１６，１７，１９）に対して四角に折り畳まれかつ他のパネル（１４，１６，１７，１９）の対応するフラップ（２１〜２４）上に少なくとも一部が重合されて対応する二重層壁（７）を形成しているタバコ製品用容器において、
前記窪み部（２７）はシート材（９）の残部に連結された第一自由外縁（２９）および第二内縁（３０）に結合され、かつ前記外部（２１，２４）は第三自由外縁（３１）を有し、前記第三自由外縁（３１）は前記第二内縁（３０）に対面して同一面を形成していることを特徴とする、タバコ製品用容器。
【請求項２】
前記第二内縁（３０））および第三自由外縁（３１）は対応する形状を有する、請求項１に記載のタバコ製品用容器。
【請求項３】
前記第二内縁（３０）および第三自由外縁（３１）は直線状である、請求項１または２に記載の容器。
【請求項４】
前記第二内縁（３０）および第三自由外縁（３１）は曲線状である、請求項１または２に記載の容器。
【請求項５】
前記第二内縁（３０）および第三自由外縁（３１）は混合線である、請求項１または２に記載の容器。
【請求項６】
相互に対して重合したシート材（９）の内部（２２，２３）および外部（２１，２４）を有する少なくとも一つの二重層壁（７）を、容器（１，４８，５２，５４）上に形成するようにシート材（９）によるブランクを折り畳む工程を含み、前記内部（２２，２３）の少なくとも一部（２７）を前記外部（２１，２４）の対応部により被覆し、
前記内部（２２，２３）の少なくとも一部（２７）を前記シート材（９）の厚みに少なくとも等しい量だけ窪ませる工程を更に含み、
前記ブランク（９）が長軸（１１）を有しかつ前記長軸（１１）に交叉する予め形成された折畳み線（１３）により複数のパネル（１４〜２０）に分割された中央体（１２）を含み、前記パネル（１４〜２０）の少なくとも幾つか（１４，１６，１７，１９）は対向する側フラップ（２１〜２４）を有し、その各々が対応するパネル（１４，１６，１７，１９）に対して四角に折り畳まれかつ他のパネル（１４，１６，１７，１９）の対応するフラップ（２１〜２４）上に少なくとも一部が重合して、対応する二重層壁（７）を形成するタバコ製品用容器を製造する方法において、
前記内部（２２，２３）の窪ませた部（２７）を、シート材（９）の残部に連結された第一自由外縁（２９）および第二内縁（３０）に結合し、かつ前記外部（２１，２４）は第三自由外縁（３１）を有し、前記第三自由外縁（３１）は前記第二内縁（３０）に対面して同一面を形成することを特徴とする、タバコ製品用容器の製法。
【請求項７】
前記内部（２２，２３）の少なくとも一部（２７）を引出すことにより窪ませる、請求項６に記載の製法。
【請求項８】
前記引出しはダイ（３６）および対向ダイ（３７）を使用して行われる、請求項７に記載の製法。
【請求項９】
前記引出しは圧延により行なわれる、請求項７に記載の製法。
【請求項１０】
前記圧延は前記長軸（１１）に平行の方向へ行なわれる、請求項９に記載の製法。
【請求項１１】
前記圧延は前記長軸（１１）と交叉する方向へ行なわれる、請求項９に記載の製法。
【請求項１２】
前記ブランク（９）が相互に連結された一連のブランク（９）により形成された細片（４０）の一部を形成し、かつ前記長軸（１１）が前記細片（４０）の移動方向（４１）を横切るように位置決めされる、請求項１１に記載の製法。
【手続補正２】
【補正対象書類名】明細書
【補正対象項目名】０００７
【補正方法】変更
【補正の内容】
【０００７】
前記自由縁が観察できると言うことは、審美的かつ機能的欠点を有することを意味する。即ち、一方で、前記自由縁は、通常、隣接するパケットの外面の色と反対に、ブランクを形成する厚紙の自然色であり、かつ他方で、使用時にパケットを周辺の材料上で掴み易くするために粗面であり、かつ透明のオーバラッピング材のパケット外面への完全接着は阻害される。
ＵＳ４５２６３１７は、紙板、厚紙、その他の硬質、可撓性かつ折り畳み可能材料による適宜カットシート材から成る単一ブランクを折り曲げかつ折り畳むことにより形成するシガレット用の平行四辺形容器を開示する。この容器は後壁に沿って蝶番止めされた箱形蓋を担持し、前記蓋の内側は、蓋両側から離隔した案内パネルを担持し、一定のコーナポストの側部が蓋の側部と蓋案内パネル間に摺動可能に位置決めされる。変形形態において、コーナポストおよび容器の主本体部の前の上部は隆起していない。
ＵＳ５１９７９３５は、側壁、上下として作用する上壁および下壁を有する液体用パッケージを開示し、側壁および上壁は隣接壁パネルの縁部に沿って延在する封止シームを有し、そのようにして合成プラスチックビード等を形成することなくこのパッケージは封止シームの領域で平滑外面を有し、封止シームにより相互に連結された二つの壁パネルの外面は、対応する壁パネルの縁部の少なくとも一つの端面に沿った間隙を介して相互に堅実に融合するように設置され、そのようにして他の面が断面で融合し、かつ封止シームが合成プラスチックビードによりパッケージの内側でマスクされる。
【手続補正３】
【補正対象書類名】明細書
【補正対象項目名】００１１
【補正方法】変更
【補正の内容】
【００１１】
本発明によれば、請求項６に記載のタバコ製品用容器を製造する方法が提供され、かつ請求項６に直接的または間接的に従属する請求項のいずれかによる製法が提供される。


【国際調査報告】
2005525976.tif 000012
2005525976.tif 000013
2005525976.tif 000014